【手続補正書】
【提出日】平成25年9月20日(2013.9.20)
【手続補正１】
【補正対象書類名】明細書
【補正対象項目名】０００６
【補正方法】変更
【補正の内容】
【０００６】
上記課題を解決するため、本発明に係る画像処理装置は、
画像を取得する取得手段と、
前記取得手段により取得された画像を表示手段の表示領域に表示させる第１表示制御手段と、
前記第１表示制御手段により前記表示領域に表示された画像内で、ユーザによる操作手段の所定操作に基づいて描画を行う描画手段と、
前記描画手段により描画された境界線で閉じられた第１領域を特定する特定手段と、
前記特定手段により特定された前記第１領域の画像と前記取得された画像における前記第１領域以外の第２領域の画像のうち、少なくとも一方を識別可能な表示態様で前記表示領域に表示させる第２表示制御手段と、
を備えたことを特徴としている。
【手続補正２】
【補正対象書類名】明細書
【補正対象項目名】０００７
【補正方法】変更
【補正の内容】
【０００７】
また、本発明に係る画像処理方法は、
画像処理装置を用いた画像処理方法であって、
画像を取得するステップと、
取得された画像を表示手段の表示領域に表示させるステップと、
前記表示領域に表示された画像内で、ユーザによる操作手段の所定操作に基づいて描画するステップと、
描画された境界線で閉じられた第１領域を特定するステップと、
特定された前記第１領域の画像と前記取得された画像における前記第１領域以外の第２領域の画像のうち、少なくとも一方を識別可能な表示態様で前記表示領域に表示させるステップと、
を含むことを特徴としている。
【手続補正３】
【補正対象書類名】明細書
【補正対象項目名】０００８
【補正方法】変更
【補正の内容】
【０００８】
また、本発明に係るプログラムは、
画像処理装置のコンピュータに、
画像を取得する取得機能、
前記取得機能により取得された画像を表示手段の表示領域に表示させる第１表示制御機能、
前記第１表示制御機能により前記表示領域に表示された画像内で、ユーザによる操作手段の所定操作に基づいて描画する描画機能、
前記描画機能により描画された境界線で閉じられた第１領域を特定する特定機能、
前記特定機能により特定された前記第１領域の画像と前記取得された画像における前記第１領域以外の第２領域の画像のうち、少なくとも一方を識別可能な表示態様で前記表示領域に表示させる第２表示制御機能、
を実現させることを特徴としている。
【手続補正４】
【補正対象書類名】特許請求の範囲
【補正対象項目名】全文
【補正方法】変更
【補正の内容】
【特許請求の範囲】
【請求項１】
画像を取得する取得手段と、
前記取得手段により取得された画像を表示手段の表示領域に表示させる第１表示制御手段と、
前記第１表示制御手段により前記表示領域に表示された画像内で、ユーザによる操作手段の所定操作に基づいて描画を行う描画手段と、
前記描画手段により描画された境界線で閉じられた第１領域を特定する特定手段と、
前記特定手段により特定された前記第１領域の画像と前記取得された画像における前記第１領域以外の第２領域の画像のうち、少なくとも一方を識別可能な表示態様で前記表示領域に表示させる第２表示制御手段と、
を備えたことを特徴とする画像処理装置。
【請求項２】
前記第２表示制御手段は、所定の画像処理を用いて、前記第１領域の画像及び前記第２領域の画像のうち、少なくとも一方を識別可能な表示態様で前記表示領域に表示させることを特徴とする請求項１記載の画像処理装置。
【請求項３】
前記第２表示制御手段は、前記第１領域の画像及び前記第２領域の画像のうち、何れか一方を他方と比べて強調するような表示態様で前記表示領域に表示させることを特徴とする請求項１又は２に記載の画像処理装置。
【請求項４】
前記第１領域及び前記第２領域のうち、切り抜き対象領域として選択された任意の領域を前記画像から切り抜く処理を行う画像処理手段を更に備えたことを特徴とする請求項１乃至３の何れか一項記載の画像処理装置。
【請求項５】
前記第２表示制御手段は、前記第１領域及び前記第２領域のうち、前記切り抜き対象領域として選択された領域の画像を識別可能な表示態様で表示させることを特徴とする請求項４記載の画像処理装置。
【請求項６】
前記第２表示制御手段は、前記第１領域の画像と前記第２領域の画像とを排他的に切り替えて前記表示領域に強調して識別表示させることを特徴とする請求項１乃至５の何れか一項に記載の画像処理装置。
【請求項７】
前記境界線の色及び太さのうち、少なくとも一方を設定する第１設定手段を更に備え、
前記第２表示制御手段は、前記第１領域と前記第２領域との境界に、前記第１設定手段により色及び太さのうちの少なくとも一方が設定された境界線を表示させることを特徴とする請求項１乃至６の何れか一項に記載の画像処理装置。
【請求項８】
前記第１領域及び前記第２領域のうち、切り抜き対象領域として選択された任意の領域以外の領域の色を設定する第２設定手段を更に備え、
前記第２表示制御手段は、前記第２設定手段により設定された色で前記切り抜き対象領域以外の領域を表示させることを特徴とする請求項１乃至７の何れか一項に記載の画像処理装置。
【請求項９】
前記第１領域及び前記第２領域のうち、任意の領域を前記切り抜き対象領域として選択する選択手段を更に備え、
前記画像処理手段は、前記選択手段により前記切り抜き対象領域として選択された任意の領域を前記画像から切り抜く処理を行うことを特徴とする請求項４に記載の画像処理装置。
【請求項１０】
前記特定手段は、ユーザによる操作手段の所定操作に基づいて所定数の境界線が描画された場合に、前記所定数の境界線で閉じられる複数の閉領域の大きさ及び前記閉領域どうしの重なり具合のうち、少なくとも一方に基づいて、前記第１領域を特定することを特徴とする請求項１乃至９の何れか一項に記載の画像処理装置。
【請求項１１】
前記特定手段は、複数の閉領域のうち、任意の閉領域の内側に他の閉領域が存する場合に、これらの二つの閉領域により形成される環状の領域を前記第１領域として特定することを特徴とする請求項１０に記載の画像処理装置。
【請求項１２】
前記特定手段は、複数の閉領域どうしが互いに重なり合う場合に、重なり合う領域の大きさを基準として、当該重なり合う領域を含む領域を前記第１領域として特定するか、或いは、当該重なり合う領域を含まない領域を前記第１領域として特定することを特徴とする請求項１０に記載の画像処理装置。
【請求項１３】
前記特定手段は、前記閉領域の数が所定数を超える場合には、前記第１領域の特定を行わないことを特徴とする請求項１０乃至１２の何れか一項に記載の画像処理装置。
【請求項１４】
前記第１領域及び前記第２領域のうち、前記画像処理手段によって切り抜かれた領域の切り抜き画像を記録する記録手段を更に備えることを特徴とする請求項４に記載の画像処理装置。
【請求項１５】
ユーザによる描画手段の所定操作の後に、前記第１領域及び前記第２領域のうち、何れの領域の画像を前記第２表示制御手段により識別可能な表示態様として先に表示させるかを設定する順序設定手段を更に備えることを特徴とする請求項１乃至１４の何れか一項に記載の画像処理装置。
【請求項１６】
画像処理装置を用いた画像処理方法であって、
画像を取得するステップと、
取得された画像を表示手段の表示領域に表示させるステップと、
前記表示領域に表示された画像内で、ユーザによる操作手段の所定操作に基づいて描画するステップと、
描画された境界線で閉じられた第１領域を特定するステップと、
特定された前記第１領域の画像と前記取得された画像における前記第１領域以外の第２領域の画像のうち、少なくとも一方を識別可能な表示態様で前記表示領域に表示させるステップと、
を含むことを特徴とする画像処理方法。
【請求項１７】
画像処理装置のコンピュータに、
画像を取得する取得機能、
前記取得機能により取得された画像を表示手段の表示領域に表示させる第１表示制御機能、
前記第１表示制御機能により前記表示領域に表示された画像内で、ユーザによる操作手段の所定操作に基づいて描画する描画機能、
前記描画機能により描画された境界線で閉じられた第１領域を特定する特定機能、
前記特定機能により特定された前記第１領域の画像と前記取得された画像における前記第１領域以外の第２領域の画像のうち、少なくとも一方を識別可能な表示態様で前記表示領域に表示させる第２表示制御機能、
を実現させるためのプログラム。